(57)【要約】【課題】  リモコンありでもリモコンなしでも据付け可能な給湯装置において、給湯温度を適切に制御することが可能な技術を提供する。【解決手段】  本発明の給湯装置は、加熱手段と、加熱手段で加熱された後の湯の温度を計測する温度計測手段と、給湯の設定温度を設定するリモコンを接続可能であって加熱手段を制御するコントローラと、固定温度を記憶する書換え可能な不揮発性メモリを備える。コントローラがリモコンの接続を検知している場合は、温度計測手段で計測される温度がリモコンでの設定温度となるように加熱手段を制御する。コントローラがリモコンの接続を検知していない場合は、温度計測手段で計測される温度が不揮発性メモリに記憶された固定温度となるように加熱手段を制御する。コントローラがリモコンの接続を検知した場合に、コントローラが不揮発性メモリに記憶されている固定温度を所定の安全温度に更新する。【選択図】  図３
2010181111.tif 000002
【特許請求の範囲】
【請求項１】
水を加熱して湯とする加熱手段と、
加熱手段で加熱された後の湯の温度を計測する温度計測手段と、
給湯の設定温度を設定するリモコンを接続可能であって、加熱手段を制御するコントローラと、
固定温度を記憶する書換え可能な不揮発性メモリを備える給湯装置であって、
コントローラがリモコンの接続の有無を検知可能であり、
コントローラがリモコンの接続を検知している場合に、温度計測手段で計測される温度がリモコンで設定された設定温度となるように、コントローラが加熱手段を制御し、
コントローラがリモコンの接続を検知していない場合に、温度計測手段で計測される温度が書換え可能な不揮発性メモリに記憶された固定温度となるように、コントローラが加熱手段を制御し、
コントローラがリモコンの接続を検知した場合に、コントローラが書換え可能な不揮発性メモリに記憶されている固定温度を所定の安全温度に更新する給湯装置。
【請求項２】
前記コントローラによる固定温度の更新が、所定時間継続してコントローラがリモコンの接続を検知した場合に行われる請求項１の給湯装置。
【請求項３】
コントローラがリモコンの接続を検知し、その後にコントローラがリモコンの接続を検知しなくなった場合に、温度計測手段で計測される温度が安全温度より高い所定の第２安全温度となるように、コントローラが加熱手段を制御する請求項１または２の給湯装置。
【発明の詳細な説明】
【技術分野】
【０００１】
本発明は、給湯装置に関する。
【背景技術】
【０００２】
給湯装置は、リモコンありで据え付けられる場合と、リモコンなしで据え付けられる場合がある。リモコンありで据え付けられる場合には、リモコンで設定した設定温度を給湯の目標温度として、給湯装置は目標温度まで加熱した湯を出湯する。リモコンなしで据え付けられる場合は、工場からの出荷時や据付け作業時に設定された固定温度を目標温度として、給湯装置は目標温度まで加熱した湯を出湯する。リモコンなしで据え付けられる場合は、給湯装置からの高温の湯と上水道からの低温の水を混合する混合栓での混合比率を調整することで、使用者は所望の温度の湯を利用することができる。使用者の多様なニーズに対応するため、リモコンなしで据え付けられる場合の固定温度は、通常の給湯で用いられる温度よりも高い温度（例えば６０℃）に設定されており、混合栓で調温可能な温度範囲が広く確保されている。
【０００３】
特許文献１に、リモコンの接続の有無を自動的に検知し、リモコンの接続の有無に応じて給湯の目標温度を変更する給湯装置が開示されている。特許文献１の技術では、給湯装置にリモコンが接続されている場合には、リモコンで設定された設定温度を給湯の目標温度に設定し、給湯装置にリモコンが接続されていない場合には、固定温度（６０℃または７５℃）を給湯の目標温度に設定する。
【先行技術文献】
【特許文献】
【０００４】
【特許文献１】特開平２−３０９１５１号公報
【発明の概要】
【発明が解決しようとする課題】
【０００５】
給湯装置をリモコンありで据え付けた場合であっても、給湯装置とリモコンを接続する接続線が断線した場合など、給湯装置がリモコンの接続を検知できない場合がある。この場合、リモコンなしで据え付けられていると給湯装置が判断して高温の固定温度まで湯を加熱してしまうと、使用者にとって予想外に高温の湯を出湯してしまう。給湯装置をリモコンありで据え付けている場合には、使用者はリモコンで設定した設定温度で給湯されるものと思い込んでいるから、高温の固定温度の湯が給湯装置から出湯されると、使用者にとっては予想外の高温で給湯されることになり、使用者の安全を損なうおそれがある。より安全性の高い給湯装置が待望されている。
【０００６】
本発明は上記課題を解決する。本発明は、リモコンありでもリモコンなしでも据付け可能な給湯装置において、給湯温度を適切に制御することが可能な技術を提供する。
【課題を解決するための手段】
【０００７】
本発明の給湯装置は、水を加熱して湯とする加熱手段と、加熱手段で加熱された後の湯の温度を計測する温度計測手段と、給湯の設定温度を設定するリモコンを接続可能であって、加熱手段を制御するコントローラと、固定温度を記憶する書換え可能な不揮発性メモリを備える。その給湯装置では、コントローラがリモコンの接続の有無を検知可能である。その給湯装置では、コントローラがリモコンの接続を検知している場合に、温度計測手段で計測される温度がリモコンで設定された設定温度となるように、コントローラが加熱手段を制御する。その給湯装置では、コントローラがリモコンの接続を検知していない場合に、温度計測手段で計測される温度が書換え可能な不揮発性メモリに記憶された固定温度となるように、コントローラが加熱手段を制御する。その給湯装置では、コントローラがリモコンの接続を検知した場合に、コントローラが書換え可能な不揮発性メモリに記憶されている固定温度を所定の安全温度に更新する。
【０００８】
上記の給湯装置は、コントローラがリモコンの接続を検知している場合には、リモコンで設定された設定温度に加熱された湯を出湯する。コントローラがリモコンの接続を検知していない場合には、書換え可能な不揮発性メモリに記憶された固定温度に加熱された湯を出湯する。コントローラがリモコンの接続を検知しない状況としては、もともと給湯装置がリモコンなしで据え付けられている場合と、給湯装置がリモコンありで据え付けられているものの、リモコンとの接続線が断線してコントローラがリモコンの接続を検知できなくなった場合がある。上記の給湯装置では、コントローラがリモコンの接続を一度でも検知すると、書換え可能な不揮発性メモリに記憶されている固定温度が安全温度に更新される。従って、もともと給湯装置がリモコンなしで据え付けられている場合には、書換え可能な不揮発性メモリに記憶されている固定温度は更新されることがなく、工場出荷時または据付け作業時に設定された高温の固定温度の湯が出湯される。また、給湯装置がリモコンありで据え付けられているものの、リモコンとの接続線が断線している場合には、給湯装置からは安全温度の湯が出湯される。安全温度は、使用者が通常リモコンで設定する設定温度に近い温度に設定されている。このような構成とすることによって、使用者にとって予想外に高温で給湯してしまうことがなく、使用者の安全を確保することができる。
【０００９】
上記の給湯装置では、固定温度が書換え可能な不揮発性メモリに記憶されており、いったん安全温度への更新がなされると、その後に停電があった場合などコントローラの動作がリセットされた場合であっても、書換え可能な不揮発性メモリには安全温度が記憶されている。このような構成とすることによって、使用者にとって予想外に高温で給湯してしまう事態を確実に防止することができる。
【００１０】
上記の給湯装置では、コントローラによる固定温度の更新が、所定時間継続してコントローラがリモコンの接続を検知した場合に行われることが好ましい。
【００１１】
給湯装置がリモコンなしで据え付けられる場合であっても、給湯装置を工場から出荷する前に一時的にリモコンを接続して接続試験を行う場合や、給湯装置の点検のために一時的にリモコンを接続する場合がある。このような場合にまで、書換え可能な不揮発性メモリに記憶されている固定温度を安全温度に更新してしまうと、リモコンなしで据え付けられた場合に混合栓で調温可能な温度範囲が狭く制限されてしまう。そこで上記の給湯装置では、所定時間継続してコントローラがリモコンの接続を検知した場合にのみ、書換え可能な不揮発性メモリに記憶されている固定温度を安全温度に更新する。このような構成とすることによって、リモコンが一時的に接続された場合に書換え可能な不揮発性メモリに記憶されている固定温度が安全温度に更新されてしまう事態を防ぐことができる。
【００１２】
上記の給湯装置は、コントローラがリモコンの接続を検知し、その後にコントローラがリモコンの接続を検知しなくなった場合に、温度計測手段で計測される温度が安全温度より高い所定の第２安全温度となるように、コントローラが加熱手段を制御することが好ましい。
【００１３】
上記の給湯装置では、コントローラがリモコンの接続を検知して、その後にリモコンの接続を検知しなくなった場合に、第２安全温度に加熱された湯を出湯する。第２安全温度は、使用者が通常リモコンで設定する設定温度に近い温度ではあるが、安全温度よりは高い温度に設定されている。このような構成とすると、コントローラとリモコンを接続する接続線が断線したときに、混合栓から出湯する湯の温度がリモコンでの設定温度から第２安全温度に変化し、湯温の変化を通じて使用者に異常の発生を即座に報知することができる。リモコンの接続線の断線の速やかな復旧を促すことができる。
【発明の効果】
【００１４】
本発明によれば、リモコンありでもリモコンなしでも据付け可能な給湯装置において、給湯温度を適切に制御することができる。
【図面の簡単な説明】
【００１５】
【図１】図１は給湯装置１００をリモコン１１８ありで据え付けた場合の構成を模式的に示す図である。
【図２】図２は給湯装置１００をリモコン１１８なしで据え付けた場合の構成を模式的に示す図である。
【図３】図３は給湯装置１００のコントローラ１１２が行う処理のフローチャートである。
【発明を実施するための形態】
【００１６】
以下に説明する実施例の主要な特徴を以下に列記する。
（特徴１）加熱手段はガスバーナである。
（特徴２）書換え可能な不揮発性メモリはフラッシュメモリである。
（特徴３）工場出荷時に書換え可能な不揮発性メモリに記憶されている固定温度は６０℃であり、安全温度は４２℃である。
（特徴４）第２安全温度は４５℃である。
【実施例１】
【００１７】
以下、本発明に係る実施例について、図面を参照しながら説明する。図１と図２は、本実施例に係る給湯装置１００の構成を示す。給湯装置１００は、水や湯が流れる給湯管１０２と、給湯管１０２を流れる水を加熱して湯とするガスバーナ１０４と、ガスバーナ１０４に燃焼用の空気を供給するファン１０６と、ガスバーナ１０４によって加熱された後の湯の温度を検出するサーミスタ１０８と、給湯管１０２における水流を検出する水流スイッチ１１０と、給湯装置１００の動作を制御するコントローラ１１２と、コントローラ１１２に接続された電気的に書換え可能な不揮発性メモリ（ＥＥＰＲＯＭ）１１４を備えている。図示はされていないが、ガスバーナ１０４は、ガス供給管に設けられたガス開閉弁およびガス量調整弁、着火のためのイグナイタ等を備えており、これらの動作はコントローラ１１２によって制御される。
【００１８】
コントローラ１１２は一般的なマイクロコントローラであり、給湯装置１００の動作を制御するためのプログラムを内蔵している。コントローラ１１２は、水流スイッチ１１０によって給湯管１０２における水流を検知すると、ガスバーナ１０４とファン１０６を駆動して、給湯管１０２を流れる水の加熱を開始する。給湯管１０２を流れる水を加熱している間、コントローラ１１２は、サーミスタ１０８で検出される温度が給湯の目標温度となるように、ガスバーナ１０４とファン１０６の動作を制御する。コントローラ１１２は、水流スイッチ１１０によって給湯管１０２における水流が停止したことを検知すると、ガスバーナ１０４とファン１０６の動作を停止する。
【００１９】
コントローラ１１２は、接続線１１６を介してリモコン１１８と接続可能である。使用者はリモコン１１８を用いて、給湯の設定温度を設定しておくことができる。後述するように、コントローラ１１２はリモコン１１８の接続の有無を検出可能であり、リモコン１１８の接続の有無に応じて給湯の目標温度を変更する。
【００２０】
ＥＥＰＲＯＭ１１４は一般的なフラッシュメモリである。ＥＥＰＲＯＭ１１４には、給湯装置１００がリモコン１１８なしで据え付けられる場合の固定温度が記憶されている。コントローラ１１２は、ＥＥＰＲＯＭ１１４に記憶された固定温度の読み出しと、ＥＥＰＲＯＭ１１４への固定温度の書き込みをすることができる。
【００２１】
図１は給湯装置１００がリモコン１１８ありで据え付けられた場合の構成を例示している。このような場合、コントローラ１１２は、リモコン１１８で設定された設定温度を給湯の目標温度として、ガスバーナ１０４とファン１０６の動作を制御する。これによって、給湯装置１００は、上水道からの水をリモコン１１８で設定された設定温度まで加熱して出湯する。給湯装置１００から出湯した湯は混合栓１２０へ送られ、上水道からの水と混合される。混合栓１２０では、使用者が給湯装置１００からの湯と上水道からの水の混合比率を調整可能である。使用者が混合栓１２０で湯側最大の混合比率とした場合に、混合栓１２０からはリモコン１１８で設定した設定温度の湯が出湯する。
【００２２】
図２は給湯装置１００がリモコン１１８なしで据え付けられた場合の構成を例示している。このような場合、コントローラ１１２は、ＥＥＰＲＯＭ１１４に記憶された固定温度を給湯の目標温度として、ガスバーナ１０４とファン１０６の動作を制御する。これによって、給湯装置１００は、上水道からの水をＥＥＰＲＯＭ１１４に記憶された固定温度まで加熱して出湯する。給湯装置１００を工場から出荷する際には、ＥＥＰＲＯＭ１１４には高めの固定温度が記憶されている。使用者は、混合栓１２０から出湯する湯の温度を見ながら混合栓１２０での混合比率を調整することで、所望の温度の湯を利用することができる。
【００２３】
本実施例では、ＥＥＰＲＯＭ１１４には、固定温度として４２℃、５０℃、６０℃、７０℃の何れかの温度が記憶されている。本実施例では、給湯装置１００を工場から出荷する段階では、固定温度として６０℃がＥＥＰＲＯＭ１１４に記憶されている。この固定温度は、給湯装置１００を家屋に据え付ける際に、図示されないディップスイッチを据付け作業者が操作することによって変更することができる。ディップスイッチが操作されると、コントローラ１１２はＥＥＰＲＯＭ１１４に記憶された固定温度をディップスイッチによって指示された固定温度に更新する。給湯装置１００の据付け作業が完了した後は、使用者はディップスイッチに触れることがなく、使用者が固定温度を自分で変更することはない。
【００２４】
以下では図３を参照しながら、コントローラ１１２が給湯の目標温度を設定する処理について説明する。
【００２５】
ステップＳ３０２では、コントローラ１１２は、リモコン１１８の接続が検知されるか否かを判断する。コントローラ１１２がリモコン１１８の接続を検知した場合（ＹＥＳの場合）、処理はステップＳ３０４へ進む。
【００２６】
ステップＳ３０４では、コントローラ１１２は、リモコン１１８に設定された設定温度を給湯の目標温度に設定する。
【００２７】
ステップＳ３０６では、コントローラ１１２は、所定時間（本実施例では６時間）以上継続してリモコン１１８の接続が検知されるか否かを判断する。リモコン１１８の接続が６時間継続して検知されない場合（ＮＯの場合）は、ステップＳ３０８へ進む。
【００２８】
ステップＳ３０８では、コントローラ１１２は、リモコン１１８の接続が検知されるか否かを判断する。コントローラ１１２がリモコン１１８の接続を検知した場合（ＹＥＳの場合）は、ステップＳ３１０でリモコン１１８に設定された設定温度を給湯の目標温度として設定し、処理はステップＳ３０６へ戻る。
【００２９】
ステップＳ３０８でリモコン１１８の接続が検知されない場合（ＮＯの場合）は、処理はステップＳ３１２へ進む。ステップＳ３１２では、コントローラ１１２が第２固定温度（本実施例では４５℃）を給湯の目標温度に設定し、処理はステップＳ３０８へ戻る。なお第２固定温度はコントローラ１１２に内蔵されたＲＯＭに記憶されている。
【００３０】
ステップＳ３１２の処理は、給湯装置１００に電源が投入されてから少なくとも一度はリモコン１１８の接続が検知されたことがあり、現時点ではリモコン１１８の接続が検知されない場合に行われる。このような場合に、工場出荷時に設定されている高温の固定温度を給湯の目標温度として設定してしまうと、使用者にとって予想外に高温の湯を出湯してしまうおそれがある。そこで本実施例では、工場出荷時に設定されている固定温度よりも低い第２固定温度（上記の例では４５℃）を給湯の目標温度とすることによって、使用者にとって予想外に高温の湯を出湯してしまう事態を回避し、使用者の安全を確保することができる。また、本実施例では、一般的な使用者が通常設定する設定温度（４０℃前後）よりもやや高い温度を第２固定温度としているため、混合栓１２０での給湯温度の変化を通じて使用者に異変の発生を速やかに報知し、リモコン１１８の断線を復旧するよう促すことができる。
【００３１】
ステップＳ３０６で６時間以上継続してリモコン１１８の接続が検知された場合（ＹＥＳの場合）は、処理はステップＳ３１４へ進む。
【００３２】
ステップＳ３１４では、コントローラ１１２は、ＥＥＰＲＯＭ１１４に記憶されている固定温度を読み出す。
【００３３】
ステップＳ３１６では、コントローラ１１２は、ステップＳ３１４で読み出された固定温度が最低固定温度（本実施例では４２℃）より高いか否かを判断する。ステップＳ３１４で読み出された固定温度が最低固定温度より高い場合（ＹＥＳの場合）には、ステップＳ３１８でコントローラ１１２がＥＥＰＲＯＭ１１４に記憶されている固定温度を最低固定温度である４２℃に更新して、処理はステップＳ３０８へ進む。ステップＳ３１４で読み出された固定温度が最低固定温度である場合（ステップＳ３１６でＮＯの場合）には、ＥＥＰＲＯＭ１１４に記憶されている固定温度を更新することなく、処理はステップＳ３０８へ進む。
【００３４】
ステップＳ３１４からステップＳ３１８までの処理によって、コントローラ１１２とリモコン１１８が６時間以上継続して接続している場合に、ＥＥＰＲＯＭ１１４に記憶されている固定温度が最低固定温度である４２℃に更新される。これによって、給湯装置１００がリモコン１１８ありで据え付けられている場合に、リモコン１１８の接続線１１６が断線し、かつ停電／復電により給湯装置１００へ電源が再投入された場合であっても、高い固定温度で出湯してしまうことを防ぐことができる。なおステップＳ３１４からステップＳ３１８までの処理は、コントローラ１１２によってリモコン１１８の接続が検知されても、リモコン１１８が６時間継続して接続されていない場合には、これらの処理は行われない。従って、給湯装置１００を工場から出荷する前に一時的にリモコンを接続して接続試験を行った場合や、給湯装置１００の点検のために一時的にリモコンを接続した場合には、上記した固定温度の更新は行われない。給湯装置１００がリモコン１１８ありの状態で据え付けられており、給湯装置１００に６時間以上継続して電源が投入されていた場合に、上記した固定温度の更新が行われる。
【００３５】
ステップＳ３０２で、リモコン１１８の接続が検知されない場合（ＮＯの場合）は、処理はステップＳ３２０へ進む。
【００３６】
ステップＳ３２０では、コントローラ１１２は、ＥＥＰＲＯＭ１１４に記憶された固定温度を読み出す。
【００３７】
ステップＳ３２２では、コントローラ１１２は、ステップＳ３２０で読み出された固定温度を給湯の目標温度に設定する。
【００３８】
ステップＳ３２０からステップＳ３２２までの処理は、給湯装置１００に電源を投入してから一度もリモコン１１８の接続が検知されない場合に行われる。このような場合として、もともと給湯装置１００がリモコン１１８なしで据え付けられている場合と、給湯装置１００がリモコン１１８ありで据え付けられているものの、リモコン１１８の接続線１１６が断線しており、かつ停電／復電により給湯装置１００へ電源が再投入された場合が考えられる。本実施例の給湯装置１００では、給湯装置１００がリモコン１１８なしで据え付けられている場合には、ステップＳ３１４からステップＳ３１８までの処理は行われることがないので、ＥＥＰＲＯＭ１１４に記憶された固定温度は、工場出荷時に設定された温度（または据付け作業時にディップスイッチの操作によって設定された温度）となっている。従って、給湯装置１００は高温の固定温度での給湯を行うことができる。また、給湯装置１００がリモコン１１８ありで据え付けられており、リモコン１１８の接続線１１６の断線と電源の再投入が生じた場合には、リモコン１１８が断線する前にステップＳ３１４からステップＳ３１８までの処理が行われ、ＥＥＰＲＯＭ１１４に記憶された固定温度は最低固定温度である４２℃に更新されている。従って、リモコン１１８ありで据え付けられた状態において、使用者にとって予想外に高温の湯を出湯してしまうことがない。使用者の安全を確保することができる。
【００３９】
なお上記の実施例では、コントローラ１１２とリモコン１１８が接続線１１６で接続されている場合について説明したが、コントローラ１１２とリモコン１１８は無線通信によって接続していてもよい。この場合、コントローラ１１２とリモコン１１８の間の通信が正常に行われていれば、コントローラ１１２はリモコン１１８の接続を検知し、コントローラ１１２とリモコン１１８の間の通信に異常が発生した場合には、コントローラ１１２はリモコン１１８の接続を検知しない。
【００４０】
なお上記の実施例では、固定温度を記憶する書換え可能な不揮発性メモリとしてＥＥＰＲＯＭ１１４を用いる場合について説明したが、書換え可能な不揮発性メモリの種類はこれに限定されるものではなく、例えば強誘電体メモリ（ＦｅＲＡＭ）、磁気抵抗メモリ（ＭＲＡＭ）、相変化メモリ（ＰＲＡＭ）等を用いてもよい。
【００４１】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００４２】
１００ 給湯装置
１０２ 給湯管
１０４ ガスバーナ
１０６ ファン
１０８ サーミスタ
１１０ 水流スイッチ
１１２ コントローラ
１１４ ＥＥＰＲＯＭ
１１６ 接続線
１１８ リモコン
１２０ 混合栓
【図１】
2010181111.tif 000003
【図２】
2010181111.tif 000004
【図３】
2010181111.tif 000005